(57)【要約】【課題】  従来はタイミングコントローラーが１個なのでピクセルデータの送信周波数が高くなり電磁干渉が大きい。データドライバーがパネルの一方の側部にのみ設置されているので、反対側部近くのピクセルを駆動する信号強度が弱く到達タイミングがずれる。【解決手段】  ピクセル回路、画像信号のある部分をピクセル回路の対応する部分に関連づける信号デバイダー、画像信号のある部分を受信し対応する制御信号とピクセルデータの対を出力するタイミングコントローラー回路、前記対を並行して出力するタイミングコントローラー回路を含むフラットパネルディスプレイ。前記フラットパネルディスプレイはデータドライバーの群を含み、各群はタイミングコントローラー回路から制御信号とピクセルデータの対を受信し、対応するピクセル回路を駆動し、異なる群は前記対を並行して受信する。【選択図】  図２
2007164152.tif 000002
【特許請求の範囲】
【請求項１】
ピクセル回路と、
画像信号のある部分を前記ピクセル回路の対応する部分に関連づける信号デバイダーと、
前記画像信号のある部分を受信して、制御信号とピクセルデータの対応組み合わせを出力するタイミングコントローラー回路、および前記組み合わせを並行して出力するタイミングコントローラー回路と、
各々の前記制御信号と前記ピクセルデータの前記組み合わせを前記タイミングコントローラー回路から受信して、対応する前記ピクセル回路を駆動する各データドライバー群、および前記組み合わせを並行して受信する異なるデータドライバー群とからなるフラットパネルディスプレイ。
【請求項２】
前記各データドライバー群は少なくとも一対のデータドライバーを含み、前記データドライバーの各対は、パネルの第一側部に設置された第一データドライバーと前記パネルの第二側部に設置された第二データドライバーとを含む請求項１に記載のフラットパネルディスプレイ。
【請求項３】
前記タイミングコントローラー回路の少なくともある部分は、前記パネルの第一側部と前記パネルの第二側部との間に設置された請求項２に記載のフラットパネルディスプレイ。
【請求項４】
前記タイミングコントローラー回路から、対応する前記データドライバーの対までの距離が実質的に等しい請求項３に記載のフラットパネルディスプレイ。
【請求項５】
前記タイミングコントローラー回路は少なくとも２個のタイミングコントローラーからなる請求項１に記載のフラットパネルディスプレイ。
【請求項６】
前記信号デバイダーは前記画像信号のある部分を対応する前記タイミングコントローラーに送信するデマルチプレクサーからなる請求項５に記載のフラットパネルディスプレイ。
【請求項７】
前記信号デバイダーは前記画像信号のある部分を格納するためのバッファーからなり、前記信号デバイダーは前記バッファーに格納された異なる部分を対応する前記タイミングコントローラーに並行して送信する請求項５に記載のフラットパネルディスプレイ。
【請求項８】
異なる前記タイミングコントローラーは異なる番号の前記ピクセル回路に対応する請求項５に記載のフラットパネルディスプレイ。
【請求項９】
前記信号デバイダーは前記入力画像信号を前記タイミングコントローラーの構成にもとづく部分に分割する請求項８に記載のフラットパネルディスプレイ。
【請求項１０】
前記各タイミングコントローラーは前記ピクセル回路をオーバードライブするため前記ピクセルデータのグレースケールレベルを調整する請求項１に記載のフラットパネルディスプレイ。
【請求項１１】
前記信号デバイダーは前記入力画像信号を部分に分割する用途で計数値を生成するカウンターからなる請求項１に記載のフラットパネルディスプレイ。
【請求項１２】
前記信号デバイダーは少なくとも１個のフィールドプログラマブルゲートアレーまたは専用集積チップからなる請求項１に記載のフラットパネルディスプレイ。
【請求項１３】
前記パネルが液晶パネルからなる請求項１に記載のフラットパネルディスプレイ。
【請求項１４】
フラットパネルディスプレイのピクセル回路を駆動するデータドライバーの群を制御し、異なるタイミングコントローラーは異なる前記群に並行してピクセルデータを送信する少なくとも２個のタイミングコントローラーと、
入力画像信号を部分に分割し、前記部分を対応する前記タイミングコントローラーに送信する信号デバイダーとからなるフラットパネルディスプレイの駆動装置。
【請求項１５】
前記データドライバーは前記タイミングコントローラーからのデジタルピクセルデータをアナログ電圧信号に変換する請求項１４に記載のフラットパネルディスプレイの駆動装置。
【請求項１６】
前記タイミングコントローラーは前記ピクセル回路をオーバードライブするため前記ピクセルデータのグレースケールレベルを調整する請求項１４に記載のフラットパネルディスプレイの駆動装置。
【請求項１７】
ピクセル回路を有するパネル、タイミングコントローラー回路、データドライバーの群からなるフラットパネルディスプレイを駆動する駆動方法であって、
画像信号のある部分を前記ピクセル回路の対応する部分と関連付けること、
前記画像信号のある部分を前記タイミングコントローラー回路に送信すること、
前記タイミングコントローラー回路を用いて、前記画像信号のある部分に基づく制御信号とピクセルデータの対を生成すること、
前記制御信号と前記ピクセルデータの前記対を、前記タイミングコントローラー回路から対応する前記データドライバーの群に並行して送信すること、
パネルに画像を表示するため前記データドライバーを使用して前記ピクセル回路を駆動することからなるフラットパネルディスプレイの駆動方法。
【請求項１８】
前記入力画像信号の分割は前記入力画像信号をカウンターにより生成される計数値に基づき分割することからなる請求項１７に記載のフラットパネルディスプレイの駆動方法。
【請求項１９】
前記タイミングコントローラー回路が少なくとも２個のタイミングコントローラーからなる請求項１７に記載のフラットパネルディスプレイの駆動方法。
【請求項２０】
更に、少なくとも１個の部分は他の部分より、より多くの前記ピクセル回路と対応するように、前記入力画像信号を等しくない部分に分割することからなる請求項１７に記載のフラットパネルディスプレイの駆動方法。
【請求項２１】
更に、各部分は他の部分と実質的に同数の前記ピクセル回路と対応するように、前記入力画像信号を実質的に等しい部分に分割することからなる請求項１７に記載のフラットパネルディスプレイの駆動方法。
【請求項２２】
前記各データドライバー群は少なくとも１対のデータドライバーからなり、前記データドライバーの各対は前記パネルの第一側部に設置された第一データドライバーと第二側部に設置された第二データドライバーからなる請求項１７に記載のフラットパネルディスプレイの駆動方法。
【請求項２３】
更に、同一の前記ピクセルデータを前記第一および第二データドライバーの対に送信すること、および同一の前記ピクセル回路を駆動するため前記第一および第二データドライバーを使用することからなる請求項２２に記載のフラットパネルディスプレイの駆動方法。
【請求項２４】
少なくとも２個のタイミングコントローラーから対応するデータドライバーに並行してデジタルピクセルデータを送信すること、
前記データドライバーを用いてデジタルピクセルデータをアナログ電圧信号に変換すること、
前記データドライバーを用いてフラットパネルディスプレイのピクセル回路をアナログ電圧信号を用いて並行して駆動することからなるフラットパネルディスプレイの駆動方法。
【請求項２５】
更に、第一クロック信号にしたがい入力画像信号を受信すること、前記入力画像信号を少なくとも２個の部分に分割すること、前記部分を対応する前記タイミングコントローラーに送信することからなる請求項２４に記載のフラットパネルディスプレイの駆動方法。
【請求項２６】
前記タイミングコントローラーから前記データドライバーへ前記デジタルピクセルデータを送信することは、前記第一クロック信号より周波数の低い第二クロック信号にしたがい前記デジタルピクセルデータを送信することからなる請求項２５に記載のフラットパネルディスプレイの駆動方法。 
【発明の詳細な説明】
【技術分野】
【０００１】
本発明はフラットパネルディスプレイとその駆動装置および駆動方法に関する。
（関連出願の相互参照）
参照により内容が援用される本出願は、２００５年１２月１６日に出願された出願番号９４１４４８６５の台湾出願に基づく優先権を請求する。
【背景技術】
【０００２】
図１を参照すると、フラットパネルディスプレイの一例はフラットパネル１０２、タイミングコントローラー１０４、データドライバー１０６、スキャンドライバー１０８、スケーラー１１０を含むアクティブマトリックス薄膜トランジスター（ＴＦＴ）液晶ディスプレイ１００である。フラットパネル１０２はピクセル回路の配列を有する。各ピクセル回路はＴＦＴ、蓄積容量、液晶セルを含む。スキャンドライバー１０８は対応するデータドライバーに蓄積容量を駆動させるため、ＴＦＴを導通させる時期を制御する。データドライバー１０６はタイミングコントローラー１０４からのデジタルピクセルデータを、蓄積容量を駆動するアナログ電圧信号に変換する。セルを通過する光量を制御し、ピクセル回路により表示されるグレースケールを決定するため、蓄積容量の電圧レベルが液晶セルに印加される。タイミングコントローラー１０４は、ホストコンピューター１１２からの入力画像信号を順次受信するスケーラー１１０から入力画像信号を受信する。タイミングコントローラー１０４は画像をフラットパネル１０２に表示するため入力画像信号にしたがってピクセル回路を駆動し、スキャンドライバー１０８とデータドライバー１０６を制御する。
【発明の開示】
【発明が解決しようとする課題】
【０００３】
従来のフラットパネルディスプレイには次の課題があった。タイミングコントローラーが１個であるためデータドライバーへのピクセルデータ送信周波数が高くなり電磁干渉が大きい。データドライバーがパネルの一方の側部にのみ設置されているので、反対側部近くのピクセルを駆動するとき信号強度が弱くなり、グレースケールと色が不正確になる。またピクセル回路に到達するタイミングが遅くなるので画像の均一性が低下する。
【課題を解決するための手段】
【０００４】
ある態様では一般にフラットパネルディスプレイはピクセル回路、画像信号のある部分を、対応するピクセル回路の部分に関連づける信号デバイダー、画像信号のある部分を受信し対応する制御信号とピクセルデータの対を出力するタイミングコントローラー回路、前記の対を並行して出力するタイミングコントローラー回路を含む。フラットパネルディスプレイはデータドライバーの群を含み、その各群がタイミングコントローラー回路からの制御信号とピクセルデータの個々の対を受信し、対応するピクセル回路を駆動する。また異なる群は前記対を並行して受信する。
【０００５】
本発明の方法の実施は次の特徴の一以上を含み得る。各群は少なくとも一対のデータドライバーを含み、データドライバーの各対はパネルの第一側部に設置された第一データドライバー、パネルの第二側部に設置された第二データドライバーを含む。少なくともタイミングコントローラー回路のある部分はパネルの第一側部と第二側部の間に設置される。タイミングコントローラー回路から対応するデータドライバーの対までの距離は実質的に等しい。タイミングコントローラー回路は少なくとも２個のタイミングコントローラーを含む。画像信号のある部分を、対応するタイミングコントローラーに送信するため、信号デバイダーはデマルチプレクサーを含む。信号デバイダーは画像信号のある部分を格納するためバッファーを含み、バッファーに格納された異なる部分を対応するタイミングコントローラーに並行して送信する。異なるタイミングコントローラーは異なる番号のピクセル回路に対応する。信号デバイダーは入力画像信号をタイミングコントローラーの配置に基づく部分に分割する。ピクセル回路をオーバードライブするため、各タイミングコントローラーはピクセルデータのグレースケールレベルを調整する。信号デバイダーは入力画像信号を部分に分割するのに使用する計数値を生成するカウンターを含む。信号デバイダーは少なくとも１個のフィールドプログラマブルゲートアレーまたは専用集積チップを含む。パネルには液晶パネルを含む。
【０００６】
他の態様では一般に、装置はフラットパネルディスプレイのピクセル回路を駆動するデータドライバー群を制御するため、少なくとも２個のタイミングコントローラーを含み、異なるタイミングコントローラーはピクセルデータを異なる群に並行して送信し、信号デバイダーは入力画像信号を部分に分割し、前記部分を対応するタイミングコントローラーに送信する。
【０００７】
本発明の方法の実施は次の特徴の一以上を含み得る。データドライバーはタイミングコントローラーからのデジタルピクセルデータをアナログ電圧信号に変換する。ピクセル回路をオーバードライブするため、タイミングコントローラーはピクセルデータのグレースケールレベルを調整する。
【０００８】
他の態様では一般に、ピクセル回路、タイミングコントローラー回路、データドライバー群を持つパネルを含むフラットパネルディスプレイの駆動方法において、本発明の方法は画像信号のある部分をピクセル回路の対応する部分と関連づけること、画像信号のある部分をタイミングコントローラー回路に送信すること、タイミングコントローラー回路を使用して画像信号のある部分に基づく制御信号とピクセルデータの対を生成すること、制御信号とピクセルデータの対をタイミングコントローラー回路から対応するデータドライバーに並行して送信すること、データドライバーを使用してパネルに画像を表示するためピクセル回路を駆動することを含む。
【０００９】
本発明の方法の実施は次の特徴の一以上を含み得る。入力画像信号の分割はカウンターにより生成された計数値に基づく入力画像信号の分割を含む。タイミングコントローラー回路は少なくとも２個のタイミングコントローラーを含む。本発明の方法は入力画像信号を等しくない部分に分割することを含み、少なくとも１個の部分は他の部分より多数のピクセル回路に対応する。本発明の方法は入力画像信号を実質的に等しい部分に分割することを含み、各部分は他の部分と実質的に同数のピクセル回路に対応する。各群は少なくとも一対のデータドライバーを含み、データドライバーの各対はパネルの第一側部に設置される第一データドライバー、パネルの第二側部に設置される第二データドライバーを含む。本発明の方法は同一ピクセルデータを第一および第二データドライバーに送信し、同一ピクセル回路を駆動するため第一および第二データドライバーを使用することを含む。
【００１０】
他の態様では一般に、本発明の方法はデジタルピクセルデータを少なくとも２個のタイミングコントローラーから対応するデータドライバーに並行して送信すること、データドライバーを使用してデジタルピクセルデータをアナログ電圧信号に変換すること、データドライバーを使用してフラットパネルディスプレイのピクセル回路をアナログ電圧信号を用いて並行して駆動することを含む。
【００１１】
本発明の方法の実施は次の特徴の一以上を含み得る。本発明の方法は第一クロック信号にしたがい入力画像信号を受信し、入力画像信号を少なくとも２個の部分に分割し、前記部分を対応するタイミングコントローラーに送信することを含む。デジタルピクセルデータをタイミングコントローラーからデータドライバーに送信することはデジタルピクセルデータを第一クロック信号より周波数の低い第二クロック信号にしたがい送信することを含む。
【発明の効果】
【００１２】
本発明のフラットパネルディスプレイの利点は次の一以上を含む。多数のタイミングコントローラーを使用することによりピクセルデータをデータドライバーに送信する信号周波数が低減できる。高周波信号により引き起こされる電磁干渉が低減できる。現行の小型フラットパネルディスプレイ用タイミングコントローラーが大型フラットパネルディスプレイに使用できる。ディスプレイパネル両側部のデータドライバーの対を使用することにより、駆動信号の強度はディスプレイの異なる領域に設置されたピクセルに対して実質的に同一にできる。ピクセル回路とデータドライバーの距離はディスプレイがより速い応答時間になるように低減できる。
【発明を実施するための最良の形態】
【００１３】
【実施例１】
【００１４】
図２はピクセル回路２０３（１個のみ図示）の配列、４個のタイミングコントローラー（２０４、２０６、２０８、２１０）、４対のデータドライバー（（２１２、２２０）、（２１４、２２２）、（２１６、２２４）、（２１８、２２６））、２個のスキャンドライバー（２２８ａ、２２８ｂ）、信号デバイダー２３０を有するパネル２０２を含むフラットパネルディスプレイ２０の一実施例の図である。データドライバーの各対はパネル２０２の第一側部２４４に配置された第一データドライバー（例えば２１２）と、パネル２０２の第二側部２４６に配置された第二データドライバー（例えば２２０）とを有する。フラットパネルディスプレイ２０は大きな寸法と高解像度を持ちうる。例えばパネル２０２は対角視野寸法が５６インチで解像度が３８４０×２１６０ピクセルの、クワッドのフル高解像度ディスプレイパネルであり得る。
【００１５】
データドライバー（２１２〜２２６）とスキャンドライバー（２２８ａ、２２８ｂ）はピクセル回路を妨げないようにパネル２０２の周辺領域に配置され得る。タイミングコントローラー（２０４〜２１０）はパネル２０２の背面に配置され、フレキシブルプリント回路を通じてデータドライバーと結合され得る。
【００１６】
ホストコンピューター１１２は画像フレームのための画像信号２３６をスケーラー１１０に送信し、スケーラー１１０は画像信号２３６を縮小し、画像信号２３２を信号デバイダー２３０に出力する。信号デバイダー２３０は画像信号２３２を４個の部分２３４ａ、２３４ｂ、２３４ｃ、２３４ｄに分割し、４個の部分をそれぞれタイミングコントローラー２０４、２０６、２０８、２１０に送信する。各部分はピクセル回路の対応する部分と関連付けられる。ある実施例ではデバイダー２３０は４個の部分２３４ａ〜２３４ｄを格納するためのバッファー２３８ａ〜２３８ｄを有する。バッファー２３８ａ〜２３８ｄに４個の部分が完全にロードされたとき、バッファーは４個の部分を４個のタイミングコントローラー（２０４〜２１０）に並行して送信する。そしてデバイダー２３０は次の画像フレームのための画像信号２３６を受信し、画像フレームのためのピクセルデータを４個の部分に分割し、４個の部分を４個のタイミングコントローラーに送信する、等々である。
【００１７】
信号デバイダー２３０はカウンター２４０とセレクター２４２（またはデマルチプレクサー）を含み得る。ある実施例ではスケーラー１１０は各列のピクセルデータを逐次、例えばあるフレームの０列〜３８３９列まで、それから次のフレームの０列〜３８３９列まで、等々送信する。カウンター２４０は受信されたデータの列を示す計数値を生成する。セレクター２４２はバッファー２３８ａ〜２３８ｄを計数値にしたがい選択する。
【００１８】
例えばタイミングコントローラー２０４〜２１０はピクセルデータの等しい部分を受信し得る。３８４０本の水平解像度を持つディスプレイにおいて各タイミングコントローラーは９６０列のピクセルデータを受信する。カウンター２４０が０列〜９５９列のピクセルデータが受信されたことを示す計数値０〜９５９を出力したとき、セレクター２４２はピクセルデータを第一バッファー２３８ａに送信する。カウンター２４０が９６０列〜１９１９列のピクセルデータが受信されたことを示す計数値９６０〜１９１９を出力したとき、セレクター２４２はピクセルデータを第二バッファー２３８ｂに送信する、等々である。０列〜３８３９列までのピクセルデータがバッファー２３８ａ〜２３８ｄに格納されたのち、バッファー２３８ａ〜２３８ｄはピクセルデータを並行してそれぞれタイミングコントローラー２０４〜２１０へ出力する。
【００１９】
信号デバイダー２３０は、例えばフィールドプログラマブルゲートアレー（ＦＰＧＡ）または専用集積チップ（ＡＳＩＣ）を用いて使用され得る。
【００２０】
タイミングコントローラー２０４、２０６、２０８、２１０はそれぞれ部分２３４ａ、２３４ｂ、２３４ｃ、２３４ｄを処理し、コントローラー信号とピクセルデータを生成する。例えばタイミングコントローラーはピクセル回路のオーバードライブをおこなうため、画像信号のグレースケールを調整する。タイミングコントローラーはユーザーの選択した色温度にしたがい、ホワイトバランスを調整する事もあり得る。各タイミングコントローラー２０４、２０６、２０８、２１０はそのピクセルデータを並行してデータドライバーの対に送信する。タイミングコントローラー２０４、２０６、２０８、２１０はデータも並行して送信する。ピクセルデータは並行してデータドライバーの対に送信されるので、ピクセルデータをデータドライバーの各対に伝送するための信号周波数は、ピクセルデータをデータドライバーの対に逐次送信するために一個のタイミングコントローラーを用いる場合に比べ低減される。
【００２１】
例えば解像度が３８４０×２１６０ピクセルのディスプレイの場合、タイミングコントローラーからデータドライバーへピクセルデータを伝送するのに必要な速度は、約３８４０×２１６０×３×６０×８＝１．１９×１０１０ビット／秒である。これはフレーム速度が６０Ｈｚで各ピクセルが３つの基本色を含み各色は８ビットで表現されることを仮定している。もしただ１個のタイミングコントローラーが用いられ（例えば図１のように）、データドライバーの４個の対の各々にデータを逐次送信するとすると、タイミングコントローラーは３８４０／４×２１６０×３×８＝４９．８ギガビットのピクセルデータを第一対のデータドライバー２１２、２２０に１／２４０秒の間に送信しなければならないから、タイミングコントローラーからデータドライバーへの信号のビットレートは、１／２４０秒の間は、少なくとも毎秒約１１．９ギガビットになる。それに対して４個のタイミングコントローラーが用いられたときは、各タイミングコントローラーは約４９．８ギガビットのピクセルデータをデータドライバーへ１／６０秒の間に送信することになるので、各タイミングコントローラーからデータドライバーへの信号のビットレートは毎秒約２．９９ギガビットに低減できる。ビットレートの低減により送信周波数を低減し電磁干渉を減らし画像の品質を高めることができる。
【００２２】
タイミングコントローラー２０４、２１０は制御信号をそれぞれスキャンドライバー２２８ａ、２２８ｂに伝送するので、スキャンドライバー２２８ａ、２２８ｂはピクセル回路の各行のＴＦＴを連続的に導通状態にし、データドライバーはピクセル回路の行の蓄積容量を駆動可能にする。
【００２３】
パネル２０２の寸法が大きいときはデータラインに付随する寄生容量があり得る。第一側部２４４に設置されたデータドライバーがデータラインを通してパネル２０２の第二側部２４６近くのピクセルを駆動するとき、駆動信号は長距離を進まなければならないので弱くなり得る。より弱い信号はより低い電圧レベルをもたらし、ディスプレイのグレースケールと色を不正確にし得る。またデータドライバーとピクセル回路間の距離が長くなるほど、駆動信号がピクセル回路に到達するのにより長い時間がかかるようになるので画像の均一性が低下する。
【００２４】
この理由によりピクセル回路を並行して駆動するため、２個のデータドライバーがそれぞれパネル２０２の第一側部２４４、第二側部２４６に設置される。例えばデータドライバー２２０、２１２は同一のピクセルデータをタイミングコントローラー２０４から受信し、同一のピクセル回路を駆動する。
【００２５】
対応するピクセル回路を並行して駆動するためパネル２０２の両面に設置された一対のデータドライバー２１２、２２０を使用することにより、ピクセルに到達する駆動信号の強度を増加させることができる。駆動信号の強度はピクセル回路とデータドライバーとの距離にかかわらず、データドライバー２１２、２２０に関連する全ピクセル回路に対してより均一にできる。この結果、より正確なグレースケールと色のディスプレイが得られる。ピクセル回路からデータドライバーへの最大距離は（パネル２０２の片側部だけにデータドライバーを設置した場合と比較して）約半分に低減されるので、駆動信号がピクセルに到達するのに必要な時間は約半分に低減され、その結果ピクセル回路のより速い応答が得られる。
【実施例２】
【００２６】
図３はピクセル回路配列２０３（１個のみ図示）、４個のタイミングコントローラー（３０４、３０６、３０８、３１０）、４対のデータドライバー（（３１２、３２０）、（３１４、３２２）、（３１６、３２４）、（３１８、３２６））、２個のスキャンドライバー（３２８ａ、３２８ｂ）、信号デバイダー３３０を有するパネル３０２を含むフラットパネルディスプレイ３０の図である。例えばパネル３０２は対角視野寸法が５６インチ、解像度が３８４０×２１６０ピクセルであり得る。
【００２７】
パネル３０２の第一側部３３２に設置されたデータドライバー３１２、３１４、３１６、３１８は第一データドライバーと呼ばれる。パネル３０２の第二側部３３４に設置されたデータドライバー３２０、３２２、３２４、３２６は第二データドライバーと呼ばれる。
【００２８】
ディスプレイ３０とディスプレイ２０（図２）の違いは、図３のタイミングコントローラー（３０４、３０６、３０８、３２０）が第一側部３３２と第二側部３３４のほぼ中間地点に設置されていることであり（中間地点と異なる場所でも役立つが）、その結果タイミングコントローラー（３０４、３０６、３０８、３２０）からそれぞれ対応する第一データドライバー（３１２、３１４、３１６、３１８）、第二データドライバー（３２０、３２２、３２４、３２６）への距離は実質的に等しい。タイミングコントローラーから送信されるピクセルデータは、第一および第二データドライバーにほぼ同時に到達する。
【００２９】
ディスプレイ３０においてタイミングコントローラー（３０４、３０６、３０８、３１０）からデータドライバーへの最大距離はディスプレイ２０（図２）に比べほぼ半分に低減され、そのためピクセルデータがタイミングコントローラーからデータドライバーに進むのに必要な時間はほぼ半分に低減できる。
【００３０】
いくつかの実施例を上記に説明したが、他の実施例、応用例も次に述べる請求項の範囲内である。例えばデバイダー２３０は部分２３４ａ〜２３４ｄをタイミングコントローラー２０４〜２１０に並行してではなく逐次に送信することができる。ディスプレイは異なる数のタイミングコントローラー、データドライバー、スキャンドライバーを有することができる。ディスプレイ２０、３０において、各タイミングコントローラーは各対のデータドライバーがパネルの第一側部に設置される第一データドライバーとパネルの第二側部に設置される第二データドライバーを含む多数対のデータドライバーに対応してもよい。
【００３１】
タイミングコントローラーは異なった数のピクセル列と関連付け得る。例えば第一型のタイミングコントローラーは１０２４列のディスプレイを駆動でき、第二型のタイミングコントローラーは８００列のディスプレイを駆動できると仮定する。１個の第一型のタイミングコントローラーと２個の第二型のタイミングコントローラーは、１０２４＋８００×２＝２６２４列（以下）のディスプレイを駆動するのに使用可能である。デバイダー２３０は３個のバッファーを持つことができ、１個のバッファーは３個のタイミングコントローラーそれぞれに対応する。２６２４本の水平解像度を持つディスプレイの例ではカウンター２４０により供給された計数値が０〜１０２３の間のとき、画像信号は第一タイミングコントローラーに送信される。カウンター２４０により供給された計数値が１０２４〜１８２３の間のとき、画像信号は第二タイミングコントローラーに送信される。カウンター２４０により供給された計数値が１８２３〜２６２３の間のとき、画像信号は第三タイミングコントローラーに送信される、等々である。
【産業上の利用可能性】
【００３２】
本発明のフラットパネルディスプレイの利点は次の一以上を含む。多数のタイミングコントローラーを使用することにより、ピクセルデータをデータドライバーに送信する信号周波数が低減できる。高周波信号により引き起こされる電磁干渉が低減できる。現行の小型フラットパネルディスプレイ用タイミングコントローラーが大型フラットパネルディスプレイに使用できる。ディスプレイパネル両面のデータドライバーの対を使用することにより、駆動信号の強度はディスプレイの異なる領域に設置されたピクセルに対して実質的に同一にできる。ピクセル回路とデータドライバーの距離はディスプレイがより速い応答時間になるように低減できる。
【図面の簡単な説明】
【００３３】
【図１】従来のフラットパネルディスプレイの概略図
【図２】本発明のフラットパネルディスプレイの概略図
【図３】本発明のフラットパネルディスプレイの概略図
【符号の説明】
【００３４】
２０  フラットパネルディスプレイ
３０  フラットパネルディスプレイ
１００  液晶ディスプレイ
１０２  フラットパネル
１０４  タイミングコントローラー
１０６  データドライバー
１０８  スキャンドライバー
１１０  スケーラー
１１２  ホストコンピューター
２０２  パネル
２０３  ピクセル回路
２０４  タイミングコントローラー
２０６  タイミングコントローラー
２０８  タイミングコントローラー
２１０  タイミングコントローラー
２１２  第一データドライバー
２１４  第一データドライバー
２１６  第一データドライバー
２１８  第一データドライバー
２２０  第二データドライバー
２２２  第二データドライバー
２２４  第二データドライバー
２２６  第二データドライバー
２２８ａ  スキャンドライバー
２２８ｂ  スキャンドライバー
２４４  第一側部
２４６  第二側部
３０２  パネル
３０４  タイミングコントローラー
３０６  タイミングコントローラー
３０８  タイミングコントローラー
３１０  タイミングコントローラー
３１２  第一データドライバー
３１４  第一データドライバー
３１６  第一データドライバー
３１８  第一データドライバー
３２０  第二データドライバー
３２２  第二データドライバー
３２４  第二データドライバー
３２６  第二データドライバー
３２８ａ  スキャンドライバー
３２８ｂ  スキャンドライバー
３３０  信号デバイダー
３３２  第一側部
３３４  第二側部
【図１】
2007164152.tif 000003
【図２】
2007164152.tif 000004
【図３】
2007164152.tif 000005
【外国語明細書】
2007164152.tif 000006
2007164152.tif 000007
2007164152.tif 000008
2007164152.tif 000009
2007164152.tif 000010
2007164152.tif 000011
2007164152.tif 000012
2007164152.tif 000013
2007164152.tif 000014
2007164152.tif 000015
2007164152.tif 000016
2007164152.tif 000017
2007164152.tif 000018
2007164152.tif 000019
2007164152.tif 000020
2007164152.tif 000021
2007164152.tif 000022